(57)【特許請求の範囲】
【請求項１】
標的実体および非標的実体を含む試料から標的実体を分離する方法であって、前記方法が
（ａ）前記標的実体に特異的であり、表面に結合した少なくとも１つの単一特異性四量体抗体複合体（単一特異性ＴＡＣ）を準備することと、
（ｂ）単一特異性ＴＡＣ結合表面が前記標的実体に結合することを可能にする条件下で、前記単一特異性ＴＡＣ結合表面と前記試料を接触させることと、
（ｃ）前記試料から前記標的実体−単一特異性ＴＡＣ結合表面を分離させて前記非標的実体から前記標的実体を分離することと
を含む、方法。
【請求項２】
前記表面がフラスコ、ビーズカラムまたは粒子である、請求項１に記載の方法。
【請求項３】
前記表面が粒子である、請求項２に記載の方法。
【請求項４】
前記粒子が磁性である、請求項３に記載の方法。
【請求項５】
前記粒子が非磁性である、請求項３に記載の方法。
【請求項６】
磁性粒子に結合した前記単一特異性ＴＡＣに結合している前記標的実体が、前記標的実体を前記非標的実体から分離するのに十分な力の磁場内に前記試料を置くことによって分離される、請求項４の記載の方法。
【請求項７】
前記標的実体が、細胞、細菌、ウイルス、細胞小器官、タンパク質および核酸からなる群から選択される、請求項１〜６のいずれか１項に記載の方法。
【請求項８】
前記標的実体が細胞である、請求項７に記載の方法。
【請求項９】
前記細胞が赤血球、リンパ球、単核細胞、顆粒球、腫瘍細胞、幹細胞、造血前駆細胞、間葉細胞、乳腺上皮細胞、神経細胞、内皮幹細胞、内皮前駆細胞および胚性幹細胞からなる群から選択される、請求項８に記載の方法。
【請求項１０】
前記細胞が赤血球である、請求項９に記載の方法
【請求項１１】
前記単一特異性ＴＡＣが抗グリコホリンＡ抗体を含む、請求項１０に記載の方法
【請求項１２】
前記細胞が顆粒球である、請求項９に記載の方法
【請求項１３】
前記単一特異性ＴＡＣが抗ＣＤ６６ｂ抗体を含む、請求項１２に記載の方法
【発明の詳細な説明】
【技術分野】
【０００１】
本出願は、参照によって本明細書に組み込まれる２０１４年１月２１日に出願された米国仮特許出願第６１／９２９，５８１号の利益を米国特許法第１１９条（ｅ）の下で主張する。
【０００２】
本開示は、表面に結合した単一特異性四量体抗体複合体を用いて細胞を分離するための方法に関する。
【背景技術】
【０００３】
多くの用途において、生体試料中の特定の細胞集団を濃縮する、あるいは減少させることが望ましい。血液学、免疫学および腫瘍学の分野では、関連した組織由来、例えば骨髄、脾臓、胸腺および胎児肝臓の末梢血および細胞懸濁液の試料に依存している。これらの不均一な試料から特定の細胞型を分離することは、これらの分野における研究の鍵である。免疫細胞、例えばＴ細胞およびＢ細胞の精製集団は、免疫機能の研究にとって必要であり、免疫療法で使用されている。細胞過程、分子過程および生化学過程の調査は、特定の細胞型を分離して、分析することを必要とする。赤血球、例えばＴ細胞、Ｂ細胞およびナチュラルキラー（ＮＫ）細胞のリンパ球サブセット、ならびに例えば好中球、好塩基球および好酸球の顆粒球を単離する、または減少させるために多数の技術が用いられてきた。
【０００４】
造血細胞および免疫細胞は、密度などの物理特性に基づいて、およびモノクローナル抗体と、例えば磁性粒子の固体面とを用いる直接標的設定を介して分離されてきた。モノクローナル抗体を用いて、末梢血および関連する細胞懸濁液から細胞集団を分離するには２つの基本的な方法がある。これらの方法は、抗体（複数可）で識別／標識される所望の細胞であるかまたは望ましくない細胞であるかどうかの点で異なる。正の選択技術では、所望の細胞は抗体で標識され、残りの非標識／望ましくない細胞から取り除かれる。負の選択法では、望ましくない細胞が標識されて、取り除かれる。抗体と補体治療および免疫毒素の使用は、負の選択技術であり、一方、蛍光補助式細胞選択（ＦＡＣＳ）および大部分の免疫吸着技術は正の選択と負の選択の両方に適応することができる。免疫吸着技術では、細胞はモノクローナル抗体で選択され、残りの細胞から取り除くことができる表面、例えばビーズのカラム、フラスコ、非磁性粒子および磁性粒子に優先的に結合される。免疫吸着技術は、臨床で、および研究で支持を得てきた。モノクローナル抗体によって標的細胞の高特異性を維持するが、ＦＡＣＳとは異なり、臨床的採取において大量の細胞を直接扱うようにスケールアップすることができ、例えば免疫毒素および補体などの細胞毒性試薬を用いる危険性を回避するからである。
【０００５】
磁性分離は、磁場勾配中に例えば遠心管またはカラムなどの容器内の磁性材料を選択的に保持するために用いられる過程である。目的の標的、例えば特定の生体細胞、タンパク質および核酸は、免疫親和性相互作用を含む特定の相互作用を介して、磁性粒子を標的の表面に結合させることによって磁性標識することができる。他の有用な相互作用としては、薬物−薬物受容体、抗体−抗原、ホルモン−ホルモン受容体、成長因子−成長因子受容体、糖質−レクチン、核酸配列−相補的核酸配列、酵素−補助因子または酵素−阻害剤結合が挙げられる。適切な容器内に目的の標的を含有する懸濁液は、次いで、懸濁液中の他の実体から標的を分離するのに十分な力の磁場勾配に曝露される。次いで、容器を適切な液体で洗浄して、非標識実体を取り除くことができ、結果として目的の標識の精製懸濁液になる。
【０００６】
細胞表面抗原に対するモノクローナル抗体の出現により、異なった細胞型を識別して分離する可能性が大きく広がった。大多数の磁性標識系は、モノクローナル抗体またはそれらの表面に共有結合されるストレプトアビジンと共に超磁性粒子を用いる。細胞分離用途において、これらの粒子は、所望の細胞が磁性標識されている正の選択、または大多数の望ましくない細胞が磁性標識されている負の選択のいずれかで用いることができる。目的の実体は一般的に磁性粒子上に捕えられているので、目的の標的がタンパク質または核酸である磁性分離用途は、正の選択方法と考えられる。
【０００７】
抗体に直接結合されている磁性粒子を利用するいくつかの市販の細胞分離製品は、入手可能である（Ｍｉｌｔｅｎｙｉ  Ｂｉｏｔｅｃ  Ｉｎｃ．，Ｇｌａｄｂａｃｈ，Ｇｅｒｍａｎｙ．，Ｌｉｆｅ  Ｔｅｃｈｎｏｌｏｇｉｅｓ  Ｃｏｒｐ．，Ｃａｒｌｓｂａｄ，  ＵＳＡ，  ＢＤ  Ｂｉｏｓｃｉｅｎｃｅｓ，  Ｓａｎ  Ｊｏｓｅ，  ＵＳＡ）。他の方法は、ビオチンに結合した特異的抗体による標的細胞の標識化、続いて、ビオチン標識抗体に結合するストレプトアビジン被覆磁性粒子の添加により、標的細胞の標識化を利用している（Ｍｉｌｔｅｎｙｉ  Ｂｉｏｔｅｃ，  Ｉｎｃ．  Ｌｉｆｅ  Ｔｅｃｈｎｏｌｏｇｉｅｓ，ＢＤ  Ｂｉｏｓｃｉｅｎｃｅｓ，およびＳＴＥＭＣＥＬＬ  Ｔｅｃｈｎｏｌｏｇｉｅｓ  Ｉｎｃ．，  Ｖａｎｃｏｕｖｅｒ，  Ｃａｎａｄａ）。別の例は、ＥａｓｙＳｅｐ（商標）細胞分離系（ＳＴＥＭＣＥＬＬ  Ｔｅｃｈｎｏｌｏｇｉｅｓ  Ｉｎｃ．）であり、それによって二重特異性四量体抗体複合体を用いて、磁性粒子を目的の細胞に架橋させる。四量体抗体複合体（ＴＡＣ）は、第１の種由来の抗体のＦｃフラグメントに結合する第２の種由来の２つの抗体によって四量体アレイに保持された第１の種由来の２つのモノクローナル抗体を含む（Ｌａｎｓｄｏｒｐに対する米国特許第４，８６８，１０９号を参照されたい。ＴＡＣおよびＴＡＣを調製するための方法の記載を参照することによって同特許は、本明細書に組み込まれる）。
【０００８】
二重特異性ＴＡＣの調製において、最終抗体組成物を含む３つの異なるＴＡＣを形成することができる。第１の動物種由来の当量濃度の２つの異なる抗体（ＡおよびＢ）に第２の動物種由来の当量の架橋抗体（Ｃ）を組み合わせる場合、２５％は抗体Ａに対する単一特異性ＴＡＣであり、２５％は第２の抗体Ｂに対する単一特異性ＴＡＣであり、およびＴＡＣの５０％は抗体ＡとＢに対して二重特異性である。第１の種由来の各抗体の比率を操作して、単一特異性ＴＡＣ対二重特異性ＴＡＣの比率をそれぞれの標的抗原に特異的な第１または第２の抗体に向けることができる。
【０００９】
本発明で用いるように、単一特異性ＴＡＣは、単一の標的実体に特異的である。一実施形態において、単一特異性ＴＡＣは、第１の動物種由来の２つの同一の抗体を含有し、これらの抗体は、同じ抗原エピトープを認識し、第１の動物種のＦｃフラグメントを認識する第２の動物種由来の２つの抗体によって四量体アレイに保持されている。別の実施形態において、単一特異性ＴＡＣは、第１の動物種由来の２つの異なる抗体クローンを含有し、これらの抗体クローンは、同じ標的抗原上の異なるエピトープを認識し、第１の動物種のＦｃフラグメントを認識する第２の動物種由来の２つの抗体によって四量体アレイに保持されている。さらに別の実施形態において、単一特異性ＴＡＣは、第１の動物種由来の２つの異なる抗体クローンを含有し、これらの抗体クローンは、同じ標的実体上に発現する異なる抗原を認識し、第１の動物種のＦｃフラグメントを認識する第２の動物種由来の２つの抗体によって四量体アレイに保持されている。
【００１０】
単一特異性ＴＡＣは、単一のＩｇＧ抗体分子を有する２つだけの抗原結合部位と比較して、４つの抗原結合部位を有するので、その標的実体のための複合体の結合価を増やすことができる。
【００１１】
直接的または間接的のいずれかで中間受容体−リガンドの相互作用を介して粒子に直接結合され、それによって受容体またはリガンドのいずれか１つが磁性粒子に最初に結合される抗体を記載する特許は、米国特許第３９７０５１８Ａ号、同第４２３０６８５号、同第８２９８７８２Ｂ２号、同第７１６０７２３Ｂ２号および同第５５４３２８９Ａ号に記載されており、これらの特許は参照によって本明細書に組み込まれている。これらの例の各々において、標的実体を認識する単一抗体または複数抗体のいずれかは、物理吸着または化学的結合などの当業者には容易に明らかな従来の技法を用いて、粒子に結合される。
【００１２】
抗体などのリガンドの固体面への物理吸着は、多数の自然過程において重要な役割を果たしており、生体材料用途においてかなりの有用性を保持している。固体面でのタンパク質吸着現象を理解する努力がなされ進歩しているのだが、タンパク質が例えばフラスコ、ビーズまたは粒子のカラムの固体面に吸着されるときに生じる、観察された現象に関して、かなり異なり、矛盾する解説がある［１］。固体面へのタンパク質吸着は、反応緩衝液のｐＨおよびイオン強度、反応の温度、およびタンパク質の等電点などの多数の要因によって影響されることがある。加えて、表面の大きさ、表面電荷、表面の反応部分もタンパク質の吸着に大きく寄与する。タンパク質が最初に吸着される、または表面に濃縮されると、前記表面に共有結合されることができる。
【００１３】
吸着条件または結合化学に応じて、抗体の配向性により、抗体がその標的抗原に機能的に結合できない立体構造で結合されることができる。抗体の配向性は、吸着または結合の反応条件を修正することによって、または中間体を使用することによって操作することができ、該中間体は、表面から外側に向かう反応性Ｆａｂ結合ドメインによって抗体を方向づけるのに役立つことができる表面に最初に結合されるものである（米国特許第８２９８７８２Ｂ２号または同第４，２３０，６８５号を参照されたい）。プロテインＡまたはストレプトアビジンなどの抗体結合中間体の結合の場合でも、前記中間体の結合も非効率的であり得、理想的とは言えない結合効率になる。
【発明の概要】
【発明が解決しようとする課題】
【００１４】
前述したことを考慮すると、当分野では、標的実体と非標的実体との混合物を分画する際に用いられる標的実体に特異的な表面の調製に関して、抗体結合方法を改善するための簡単で新規の方法を提供する必要がある。
【課題を解決するための手段】
【００１５】
本発明者は、標的実体と非標的実体との混合物を分画する際に用いられる表面に単一特異性四量体抗体複合体を結合するための方法を開発した。本発明者は、単一特異性四量体抗体複合体を表面に結合することによって、標的実体と非標的実体との混合物を分画するための当量抗体濃度でモノクローナル抗体を表面に結合する既存の方法よりも改善されることを示した。
【００１６】
細胞表面抗原に対するモノクローナル抗体の出現により、異なった細胞型を識別して分離する可能性が大きく広がった。四量体抗体複合体（ＴＡＣ）は、第１の動物種由来の２つの抗体を含んでおり、これらの抗体は第１の動物種由来のＦｃフラグメントに特異的な第２の動物種由来の２つの抗体によって四量体アレイに保持されている（Ｌａｎｓｄｏｒｐに対する米国特許第４，８６８，１０９号を参照されたい。ＴＡＣおよびＴＡＣを調製するための方法の記載を参照することによって同特許は、本明細書に組み込まれる）。本開示の方法は、標的実体と非標的実体とから構成されている試料を分画する際に用いられる磁性粒子などの表面に結合される単一特異性ＴＡＣの使用を示す。
【００１７】
単一特異性ＴＡＣは、細胞などの標的実体の単一の型に特異的である。一実施形態において、単一特異性ＴＡＣは、第１の動物種由来の２つの同一の抗体を含有し、これらの抗体は、同じ抗原エピトープを認識し、および第１の動物種のＦｃフラグメントを認識する第２の動物種由来の２つの抗体によって四量体アレイに保持されている。別の実施形態において、単一特異性ＴＡＣは、第１の動物種由来の２つの異なる抗体クローンを含有し、これらの抗体クローンは同じ標的抗原の異なるエピトープを認識し、および第１の動物種のＦｃフラグメントを認識する第２の動物種由来の２つの抗体によって四量体アレイに保持されている。さらに別の実施形態において、単一特異性ＴＡＣは、第１の動物種由来の２つの異なる抗体クローンを含有し、これらの抗体クローンは、細胞などの同じ標的実体上に発現する異なる抗原を認識し、第１の動物種のＦｃフラグメントを認識する第２の動物種由来の２つの抗体によって四量体アレイに保持されている。
【００１８】
本発明の方法は、表面に結合した単一特異性ＴＡＣが、標的実体と非標的実体とを含有する試料から標的実体を分画する場合、表面に結合したモノクローナル抗体よりも効果的であり、既存の方法を上回る予想外の改善である。
【００１９】
標的実体に特異的な抗体の当量濃度で、表面に結合した単一特異性ＴＡＣは、標的実体と非標的実体との混合物から標的実体を分画する際により効果的である。
【００２０】
一実施形態において、本開示の方法は、ヒト全血などの複合試料から赤血球を効率的に標識し、および減少させることができる。
【００２１】
したがって、一実施形態において、本開示は、標的実体と非標的実体とを含む試料において非標的実体から標的実体を分離するための方法を提供し、該方法は、
（ａ）標的実体に特異的であり、表面に結合した少なくとも１つの単一特異性四量体抗体複合体（ＴＡＣ）を準備することと、
（ｂ）ＴＡＣ結合表面が標的実体に結合することを可能にする条件下で、ＴＡＣ結合表面と試料を接触させることと、
（ｃ）試料から標的実体−ＴＡＣ結合表面を分離させて非標的実体から標的実体を分離することとを含む。
【００２２】
一実施形態において、表面は、磁性粒子などの粒子である。磁性粒子方法の有益性は、この方法が免疫磁性細胞分離方法であるので、完全に自動化することができ、それによってさらに試料取扱を減少させ、ウイルスまたは寄生体などの血液媒介病原菌への曝露を最小化することができることである。
【００２３】
標的実施体は、細胞、細菌、ウイルス、細胞小器官、タンパク質または核酸であり得る。
【００２４】
一実施形態において、標的細胞は、赤血球、リンパ球、単核細胞、顆粒球、腫瘍細胞、幹細胞、造血前駆細胞、間葉細胞、乳腺上皮細胞、神経細胞、内皮幹細胞および胚性幹細胞からなる群から選択される。
【００２５】
本開示の他の特徴および利点は、以下の発明を実施するための形態から明らかになろう。しかし、発明を実施するための形態および特定の実施例は、好ましい実施形態を示しているが、本開示の趣旨および範囲内での種々の変更および修正は、本発明を実施するための形態から当業者には明らかになるため、例示としてのみ示されることを理解すべきである。
【００２６】
ここで本開示を以下の図面との関連で述べることにする。
【図面の簡単な説明】
【００２７】
【図１】単一特異性抗グリコホリンＡ  ＴＡＣまたは抗グリコホリンＡ抗体のいずれかに結合されたカルボキシデキストラン磁性粒子を用いた、ヒト末梢全血からの赤血球の減少を示す。
【図２】単一特異性ＴＡＣ結合磁性粒子を使用する免疫磁性赤血球減少、または赤血球の塩化アンモニウム溶解のいずれかを用いて、ヒト末梢血有核細胞の濃縮を比較する。
【図３】磁性粒子に結合した単一特異性抗ＣＤ６６ｂ  ＴＡＣを用いて、ヒト末梢全血からＣＤ６６ｂ＋顆粒球の正の選択を示す。
【発明を実施するための形態】
【００２８】
本開示の組成物および方法
本開示は、標的実体および非標的実体を含有する試料から標的実体を分離するための方法で用いられる表面に結合した単一特異性ＴＡＣの組成物に関する。
【００２９】
一態様において、本開示は、標的実体および非標的実体を含んでいる試料中の非標的実体から標的実体を分離するための方法を提供し、該方法は、
（ａ）標的実体に特異的であり、表面に結合した少なくとも１つの単一特異性四量体抗体複合体（ＴＡＣ）を準備することと、
（ｂ）ＴＡＣ結合表面が標的実体に結合することを可能にする条件下で、ＴＡＣ結合表面と試料を接触させることと、
（ｃ）試料から標的実体−ＴＡＣ結合表面を分離させて非標的実体から標的実体を分離することとを含む。
【００３０】
この方法は、正および負の選択プロトコルの両方で使用することができる。正の選択のプロトコルにおいて、所望の実体は試料から取り除かれる。負の選択プロトコルにおいて、所望の実体は選択プロトコルの後に試料中に残り、その結果残りの試料は所望の実体のために濃縮されている。
【００３１】
本明細書で用いる場合、「標的実体」という用語は、本明細書に記載する方法によって試料から取り除かれることになる実体である。好適な実施形態において、標的実体は細胞である。正の選択プロトコルにおいて、所望の細胞は標的細胞である。負の選択プロトコルにおいて、所望の細胞は標的細胞ではなく、むしろ、非標的細胞である。
【００３２】
一実施形態において、表面は粒子である。粒子は磁性または非磁性であり得る。本明細書に記載の方法での有用な非磁性粒子の一例は、浮遊性粒子である。浮遊性粒子は、適切な緩衝液中に配置されると、浮遊し、それによって標的細胞−ＴＡＣ結合粒子複合体が試料から分離できるようになる。
【００３３】
負の選択の細胞分離プロトコルにおいて、所望の細胞は結合粒子で標識されてなく、標的細胞で標識された結合粒子が取り除かれた後、試料中に残る。したがって、望ましくない細胞は、試料から取り除かれることになる「標的細胞」であり、所望の細胞は「非標的細胞」である。負の選択の細胞分離プロトコルにおいて、単一特異性ＴＡＣは、試料から取り除きたいと思う標的細胞に特異的な抗体を含有する。したがって、本開示は、所望の細胞と望ましくない細胞とを含有する試料において所望の細胞を濃縮して回収するための負の選択細胞分離方法を提供し、該方法は、
（ａ）望ましくない細胞に特異的であり、粒子などの表面に結合した少なくとも１つの単一特異性ＴＡＣを準備することと、
（ｂ）ＴＡＣ結合粒子が望ましくない細胞に結合することを可能にする条件下で、ＴＡＣ結合粒子と試料を接触させることと、
（ｃ）試料から標的細胞−ＴＡＣ結合粒子複合体を分離させて、所望の細胞が濃縮した試料を得ることとを含む。
【００３４】
正の選択プロトコルにおいて、所望細胞は標的細胞である。正の選択において、抗体組成物は、試料から取り除きたいと思う所望の細胞に特異的な少なくとも１つの抗体を含有する。したがって、本開示は、所望の細胞と望ましくない細胞とを含有する試料から所望の細胞を回収するための正の選択方法を提供し、該方法は、
（ａ）所望の細胞粒子に結合する、表面に結合した少なくとも１つの単一特異性ＴＡＣを準備することと、
（ｂ）ＴＡＣ結合粒子が所望の細胞に結合することを可能にする条件下で、ＴＡＣ結合粒子と試料を接触させることと、
（ｃ）試料から所望の細胞−ＴＡＣ結合粒子複合体を分離させて、結合粒子に結合した所望の細胞が濃縮した第２の試料を得ることと、
（ｄ）所望の細胞−ＴＡＣ結合粒子複合体を洗浄して、結合粒子に結合している所望の細胞が精製された試料を得ることとを含む。
【００３５】
一実施形態において、正の選択方法としては、結合粒子から所望の細胞を分離するために、所望の細胞−ＴＡＣ結合粒子複合体の脱凝集が挙げられる。この複合体は、種々の方法、これに限定されないが、例えば競合的解離法、物理的解離法、化学的解離法、酵素的解離法、または熱解離法を用いて、脱凝集させることができる。
【００３６】
負の選択または正の選択のいずれかで、上記ステップ（ｂ）で形成した粒子に結合した標的細胞は、種々の技法を用いて、非磁性非標的細胞から分離させることができる。
【００３７】
好適な実施形態において、粒子は磁性粒子であり、および磁性粒子で標識された標的細胞を含有する試料は磁場内に配置される。磁性粒子で標識された標的細胞は、磁場に向かって遊走し、非磁性非標的細胞が磁性粒子で標識された標的細胞から容易に分離可能な位置で保持される。
【００３８】
本開示の方法は、血液(特に臍帯血と全血)、骨髄、胎児肝臓、バフィーコート懸濁液、白血球除去試料、胸水と腹水、および胸腺細胞懸濁液と脾細胞懸濁液を含む赤血球を含有する生体試料のプロセシングで使用されてもよい。本方法を用いて、全血または全骨髄などの赤血球を含有する生体試料から赤血球を減少させることができる。
【００３９】
本開示の方法を用いて、任意の細胞型、これらに限定されないが、例えばＴ細胞、Ｂ細胞、ＮＫ細胞、樹状細胞、単核細胞、好塩基球、肥満細胞、前駆細胞、幹細胞および腫瘍細胞が濃縮された試料を調製することができる。
【００４０】
一実施形態において、本開示の方法を用いて、選択された分化細胞型、例えばＴ細胞、Ｂ細胞、ＮＫ細胞、単核細胞、樹状細胞、好塩基球および形質細胞が濃縮された試料、例えば血液および骨髄から細胞標品を調製することもできる。これにより、成長因子産生および成長因子への反応を含む特定の細胞間相互作用の研究が可能になる。特定の細胞型の分子分析および生化学分析も可能になる。ＮＫ細胞、樹状細胞およびＴ細胞が濃縮された細胞標品は、特定の悪性腫瘍に対する免疫療法でも用いることができる。
抗体組成物および粒子組成物
【００４１】
本開示は、本明細書に記載の方法で使用される抗体および粒子組成物を含む。
【００４２】
単一特異性ＴＡＣは、標的細胞上の抗原に結合する（ａ）第１の抗体と、それに間接的に結合している、同じ標的細胞に結合する（ｂ）第２の抗体とを含有する。これらの２つの抗体は、同じ動物種の同一または異なる抗体クローンであり得、同じ標的細胞上に発現する同じ抗原または異なる抗原上の異なるエピトープを認識する。
【００４３】
好適な実施形態において、少なくとも１つの単一特異性ＴＡＣは、物理吸着または化学的結合などの当業者には容易に明らかな従来の技法を用いて、粒子に直接結合される。
【００４４】
「第１の抗体」および「第２の抗体」という用語は、この抗体組成物が少なくとも１種類の抗体を含む（１つの抗体分子とは対照的に）ことを意味する。１種類の抗体とは、抗原上で特定のエピトープに結合する１つの抗体を意味する。例えば、抗原ＣＤ３に結合する抗体は、１種類の抗体と考えられる。
【００４５】
一態様において、本開示の単一特異性ＴＡＣは、標的細胞に特異的な（ａ）１つの抗体と、それに間接的に結合している、同じ標的細胞に特異的な（ｂ）第２の抗体とを含む。「間接的に結合している」ことによって、抗体（ａ）および抗体（ｂ）は互いに直接共有結合していないが、免疫複合体などの結合部分を介して結合していることを意味する。好適な実施形態において、抗体組成物は１つの抗体で標的細胞（ａ）を含有し、標的細胞は単一特異性四量体抗体複合体を調製することによって同じ標的細胞（ｂ）に特異的な第２の抗体に間接的に結合している。単一特異性四量体抗体複合体は、第１の動物種由来の標的細胞に結合することができるモノクローナル抗体と、第１の動物種の抗体のＦｃフラグメントに対して向けられている第２の動物種の等モル量のモノクローナル抗体とを混合することによって調製されることもある。第１の動物種由来の抗体は、第１の動物種の抗体のＦｃフラグメントに対して向けられている、およそ等モル量の完全長の第２の動物種のモノクローナル抗体、または同モノクローナル抗体のＦ（ａｂ’）２フラグメントと反応することもある。
【００４６】
「少なくとも１つの単一特異性ＴＡＣ」という用語は、少なくとも１つのＴＡＣが単一粒子に直接結合していることを意味する。好適な実施形態において、単一特異性ＴＡＣは、細胞などの１種類の標的実体に特異的である。一実施形態において、単一特異性ＴＡＣは、第１の動物種由来の同一の２つの抗体を含有し、これらの２つの抗体は、同じ抗原エピトープを認識し、第１の動物種のＦｃフラグメントを認識する第２の動物種由来の２つの抗体によって四量体アレイ内に保持されている。別の実施形態において、単一特異性ＴＡＣは、第１の動物種由来の２つの異なる抗体クローンを含有し、これらの抗体クローンは、同じ標的抗原上の異なるエピトープを認識し、第１の動物種のＦｃフラグメントを認識する第２の動物種由来の２つの抗体によって四量体アレイに保持されている。さらに別の実施形態において、単一特異性ＴＡＣは、第１の動物種由来の２つの異なる抗体クローンを含有し、これらの抗体クローンは同じ標的細胞上に発現する異なる抗原を認識し、第１の動物種のＦｃフラグメントを認識する第２の動物種由来の２つの抗体によって四量体アレイに保持されている。
【００４７】
ＴＡＣ結合粒子は、少なくとも１つのＴＡＣ結合粒子が１つの標的細胞に結合できる条件下で試料と混合される。
【００４８】
好適な実施形態において、標的細胞に特異的な単一特異性ＴＡＣは、物理吸着または化学的結合などの当業者には容易に明らかな従来の技法を用いて、粒子に直接結合される。
【００４９】
本開示の脈絡内で、抗体はモノクローナル抗体およびポリクローナル抗体、抗体フラグメント（例えば、ＦａｂおよびＦ（ａｂ’）２）、キメラ抗体、二価抗体または二重特異性抗体を含むと理解される。抗体は、例えば、１０７Ｍ−１以上の適当な親和性（結合定数）で結合する場合、標的細胞または赤血球の表面で選択抗原に対して反応すると理解される。
【００５０】
モノクローナル抗体は、好ましくは本開示の抗体組成物で用いられる。有核細胞の表面で選択抗原に特異的なモノクローナル抗体は、当業者には容易に明らかな従来の技法を用いて、容易に得ることができる、または作製することができる。
【００５１】
本開示は、アプタマーまたはキメラ抗体誘導体、すなわち、非ヒト動物可変領域とヒト定常領域を組み合わせる抗体分子が考えられる。キメラ抗体分子は、ヒト定常領域と共に、例えば、マウス、ラットまたは他の種の抗体由来の抗原結合ドメインを含むことができる。キメラ抗体を作製するための種々の方法は記述されており、分化細胞または腫瘍細胞の表面で選択抗原を認識する、免疫グロブリン可変領域を含有するキメラ抗体を作製するために用いることができる。例えば、ＫｉｍおよびＨｏｎｇ［２］を参照されたい。
【００５２】
以下の非限定実施例は、本開示を例示する。
【実施例】
【００５３】
実施例１
四量体抗体複合体の調製
本開示の方法で使用するための単一特異性な四量体抗体複合体を調製するために、以下のプロトコルを用いることができる：（ａ）標的細胞（例えば抗赤血球（グリコホリンＡ）、ＣＤ８、ＣＤ１６，ＣＤ１９、ＣＤ３６、ＣＤ５６、ＣＤ６６ｂなど）上の抗原特異的抗体１ｍｇを取る；（ｂ）Ｐ９抗体を１ｍｇまたはＰ９  Ｆ（ａｂ’）２抗体断片を０．６８ｍｇ加える。３７℃で終夜インキュベートする。四量体の調製についてのさらなる情報は、Ｌａｎｓｄｏｒｐに対する米国特許第４，８６８，１０９号を参照されたい。同特許は、参照によって本明細書に組み込まれている。異なる標的細胞上に発現する抗原に異なる抗体を組み入れる単一特異性四量体抗体複合体は、別々に調製する。
【００５４】
異なる抗体で調製した単一特異性ＴＡＣを各粒子に別々に結合する。結合粒子混合物は、減少させたいと望む細胞に応じて種々の結合粒子を組み合わせることによって作製する。
種々の単一特異性ＴＡＣの濃度は、変わる。一般的に、有核細胞上で発現する抗原に対する抗体は、単一特異性ＴＡＣ中では２．５〜４００μｇ／ｍＬである。次いで、細胞懸濁液中の各抗細胞抗体の最終濃度が０．１２５〜２０μｇ/ｍＬになるように、結合粒子組成物を細胞に１：２０で希釈する。各粒子の最終濃度は、０．０５〜５ｍｇ／ｍＬである。
実施例２
磁性粒子に結合した単一特異性ＴＡＣの調製
【００５５】
本開示の方法で使用するための結合モノクローナル抗体または単一特異性ＴＡＣを用いて粒子を調製するために、以下のプロトコルを用いることができる：（ａ）抗グリコホリンＡ抗体単独を２００μｇ、またはＰ９抗体２００μｇと共に四量体抗体複合体中で結合した抗グリコホリンＡ抗体を２００μｇを取る；（ｂ）カルボキシデキストラン磁性粒子８０ｍｇを加える；次いで（ｃ）１５〜３７℃で終夜インキュベートして、抗体または単一特異性ＴＡＣの磁性粒子上への受動的吸着を促進する。次いで、抗グリコホリンＡ抗体の最終濃度が１〜１０μｇ／ｍＬの間になるように、この組成物を試料に１：２０で希釈する。磁性粒子の最終濃度は、０．４〜４ｍｇ／ｍＬである。
【００５６】
別の実施形態において、磁性粒子への抗体またはＴＡＣの化学架橋は、当業者には容易に明らかである従来の技術を使用して行われる。本開示の具体的な非限定例は、カルボキシデキストラン磁性粒子への抗グリコホリンＡ単一特異性ＴＡＣのＥＤＣ−ＮＨＳ架橋であろう。次いで、単一特異性ＴＡＣ中の抗グリコホリンＡ抗体の最終濃度が１〜１０ｕｇ／ｍＬになるように、抗グリコホリンＡ単一特異性ＴＡＣ結合粒子を試料に１：２０で希釈する。
実施例３
磁性粒子に直接結合した抗グリコホリンＡに特異的な単一特異性四量体抗体複合体を使用して、ヒト末梢全血由来の末梢血有核細胞の免疫磁性が負の細胞を濃縮する方法
【００５７】
磁性細胞分離を用いる、ヒト末梢全血由来の末梢血有核細胞を濃縮するための負の選択のプロトコルを、以下に提示する。
１．磁性粒子に結合した単一特異性グリコホリンＡ  ＴＡＣをヒト末梢全血１ｍＬ当たり５０μＬ加える。
２．室温で５分間、インキュベートする。
３．出発全血試料に相当する量のリン酸緩衝生理的食塩水（ＰＢＳ）で試料を希釈し、次いで静かに混合する。
４．試料を含有する管をマグネット内に置く。
５．室温で５分間、インキュベートする。
６．濃縮した細胞を試料から取り除き、試料管は、マグネット内に保持しておく。
７．ステップ１のように当量の結合粒子を、希釈した濃縮試料に加える。
８．室温で５分間、インキュベートする。
９．試料を含有する管をマグネット内に置く。
１０．室温で５分間、インキュベートする。
１１．濃縮した細胞を試料から取り除き、試料管は、マグネット内に保持しておく。
１２．これで、新しい管中の所望の細胞が使える状態になる。
【００５８】
本実施例は、ヒト全血の主要成分である赤血球を、磁性粒子に結合した抗グリコホリンＡ単一特異性ＴＡＣを使用する前述の方法を用いて、減少させることができることを示す。図１Ｂに示すように、上述の方法を用いて、磁性粒子に結合したグリコホリンＡ単一特異性ＴＡＣを使用することによる赤血球の減少後は、磁性粒子単独をヒト全血に加えると、ＣＤ４５−ＧｌｙＡ＋が濃縮細胞の９９．９５％であるのと比較して、ＣＤ４５＋ＧｌｙＡ−は濃縮細胞の９９．０５％である。
実施例４
磁性粒子に直接結合した抗ＣＤ６６ｂに特異的な単一特異性四量体抗体複合体を使用して、ヒト末梢全血からの顆粒球の免疫磁性の正の選択方法
【００５９】
磁性細胞分離を用いて、ヒト末梢全血から顆粒球を単離するための正の選択プロトコルを以下に提示する。
１．磁性粒子に結合した単一特異性抗ＣＤ６６ｂ  ＴＡＣをヒト末梢全血１ｍＬ当たり５μＬ加える。
２．室温で５分間、インキュベートする。
３．出発全血試料に相当する量のＰＢＳで試料を希釈し、次いで静かに混合する。
４．試料を含有する管をマグネット内に置く。
５．室温で５分間、インキュベートする。
６．望ましくない細胞を含有する上清を試料から取り除き、所望の細胞を含有する試料管は、マグネット内に保持しておく。
７．所望の細胞を含有する管をマグネットから取出し、所望の細胞を含有する管の試料をＰＢＳで再懸濁させる。
８．ステップ４〜７をあと２回繰り返し、５分間のマグネット分離を計３回行う。
９．これで、結合粒子で標識した所望の細胞が使える状態になる。
【００６０】
本実施例は、磁性粒子に結合した抗ＣＤ６６ｂ単一特異性ＴＡＣを用いて、ヒト全血から顆粒球の正の選択が行えることを示す。図３に示すように、上述の方法を用いて、顆粒球の正の選択を行い、７４．７％まで濃縮することができる。
実施例５
磁性粒子に結合した抗グリコホリンＡ抗体と、磁性粒子に結合した抗グリコホリンＡ単一特異性ＴＡＣのヒト赤血球減少についての比較
【００６１】
本実施例は、抗グリコホリンＡ抗体または抗グリコホリンＡ単一特異性ＴＡＣのいずれかに結合した磁性粒子を用いて、ヒト全血から赤血球を免疫磁性減少させることを示す（図１）。ヒト全血中の赤血球は、グリコホリンＡに特異的なモノクローナル抗体結合磁性粒子または単一特異性ＴＡＣ結合磁性粒子のいずれかを使用し、実施例３に記載の方法を用いて、減少させた。抗グリコホリンＡ単一特異性ＴＡＣは実施例１に記載のように調製した。抗グリコホリンＡモノクローナル抗体または単一特異性ＴＡＣのいずれかと結合した磁性粒子は、実施例２に記載のように調製した。Ａ）（左から右に）いずれの抗体も含まない単独の磁性粒子、磁性粒子に結合した単一特異性抗グリコホリンＡ  ＴＡＣ、当量の磁性粒子に結合した、当量濃度の抗グリコホリンＡ  モノクローナル抗体、および当量の磁性粒子に結合した２倍濃度の抗グリコホリンＡモノクローナル抗体を比較する、最終試料の画像である。架橋抗マウスＩｇＧ１抗体を単一特異性ＴＡＣの考慮に入れる場合、抗グルコホリンＡの濃度を２倍にすると、当量の全抗体濃度がもたらされる。赤血球を効率的に減少させた唯一の試料は、磁性粒子に結合した単一特異性抗グルコホリンＡ  ＴＡＣで分離された試料であった。Ｂ）濃縮した試料を抗グリコホリンＡ（ＧｌｙＡ）ＦＩＴＣおよび抗ＣＤ４５  ＡＰＣで染色し、次いでフローサイトメトリーで解析して、濃縮試料中のＣＤ４５＋／ＧｌｙＡ−細胞のパーセンテージを評価することによって赤血球の減少程度を決定した。単独の磁性粒子は、０．０３％のＣＤ４５＋／ＧｌｙＡ−細胞をもたらした。磁性粒子に結合した単一特異性抗グリコホリンＡ  ＴＡＣは、９９．０５％のＣＤ４５＋／ＧｌｙＡ−細胞をもたらした。比較として、磁性粒子に結合したモノクローナル抗グリコホリンＡ抗体の当量濃度は、わずか０．３５％のＣＤ４５＋／ＧｌｙＡ−をもたらした。グリコホリンＡモノクローナル抗体の濃度を２倍にすると、ＣＤ４５＋／ＧｌｙＡ−細胞は３．５１％に少し増加した。
実施例６
ヒト全末梢血中の赤血球の塩化アンモニウム低浸透圧溶解後と比較して、単一特異性グリコホリンＡ  ＴＡＣを用いた赤血球の免疫磁性減少の後の濃縮末梢血有核細胞の比較
【００６２】
本実施例は、磁性粒子に結合した単一特異性グリコホリンＡ  ＴＡＣを使用して、ヒト末梢血有核細胞を免疫磁性濃縮すると、標準の塩化アンモニウム溶解方法と比較して、同程度の出現頻度の細胞集団をもたらした（図２）。赤血球は、実施例３による方法または標準の塩化アンモニウム低浸透圧溶解のいずれかを用いて、減少させ、次いで洗浄した。濃縮した試料は、抗ＣＤ４もしくはＣＤ１９ＦＩＴＣ、抗ＣＤ８もしくはＣＤ５６ＰＥ、抗ＣＤ３  ＰｅｒＣＰ−Ｃｙ５．５、および抗ＣＤ４５ＡＰＣで染色し、フローサイトメトリーで分析した。試料をＣＤ４５＋細胞上でゲーティングし、集団をＦＳＣ／ＳＳＣゲーティングまたは細胞表面マーカー（ｎ＝６）の発現のいずれかによって特定した。
実施例７
磁性粒子に結合した抗ＣＤ６６ｂ単一特異性ＴＡＣを用いる、ヒト末梢全血からの顆粒球の免疫磁性の正の選択
【００６３】
本実施例は、実施例４に記載の方法により、磁性粒子に結合した単一特異性抗ＣＤ６６ｂ  ＴＡＣを用いて、ヒト全血からの顆粒球の免疫磁性の正の選択を示す(図３）。塩化アンモニウム溶解全血、および正に選択された試料を抗ＣＤ４５で染色して、フローサイトメトリーで分析した。試料をＣＤ４５＋上でゲーティングし、顆粒球を高ＦＳＣおよびＳＳＣゲーティングに基づいて特定した。出発全血試料では、ＣＤ４５＋細胞の５４．８％が顆粒球であった。次の免疫磁性の正の選択では、ＣＤ４５＋細胞の７４．７％は顆粒球であった。
【００６４】
本発明は、現在好ましい実施例と変えられるものを参照して記述したが、本発明が開示されている実施例に限定されないことを理解されるべきである。それとは反対に、本発明は、添付の特許項の趣旨および範囲内に含まれる種々の修正および均等の構成を包含することを意図する。
【００６５】
すべての刊行物、特許および特許出願は本明細書では、各個々の刊行物、特許または特許出願がその全体を参照によって組み込まれていることを具体的かつ個別に示している場合と同じ程度に、その全体を参照によって組み込んでいる。
参考文献
１．Ｒａｂｅ，Ｍ．，Ｖｅｒｄｅｓ，Ｄ．，およびＳｅｅｇｅｒ，Ｓ．（２０１１）．
Ｕｎｄｅｒｓｔａｎｄｉｎｇ  ｐｒｏｔｅｉｎ  ａｄｓｏｒｐｔｉｏｎ  ｐｈｅｎｏｍｅｎａ  ａｔ  ｓｏｌｉｄ  ｓｕｒｆａｃｅｓ．Ａｄｖａｎｃｅｓ  ｉｎ  Ｃｏｌｌｏｉｄ  ａｎｄ  Ｉｎｔｅｒｆａｃｅ  Ｓｃｉｅｎｃｅ．１６２．  ８７−１０６．  
２．Ｋｉｍ，Ｊ．Ｈ．，およびＨｏｎｇ，Ｈ．Ｊ．（２０１２）．Ｈｕｍａｎｉｚａｔｉｏｎ  ｂｙ  ＣＤＲ  Ｇｒａｆｔｉｎｇ  ａｎｄ  Ｓｐｅｃｉｆｉｃｉｔｙ−Ｄｅｔｅｒｍｉｎｉｎｇ  Ｒｅｓｉｄｕｅ  Ｇｒａｆｔｉｎｇ．Ｉｎ  Ｐ．  Ｃｈａｍｅｓ（編），Ａｎｔｉｂｏｄｙ  Ｅｎｇｉｎｅｅｒｉｎｇ：Ｍｅｔｈｏｄｓ  ａｎｄ  Ｐｒｏｔｏｃｏｌｓ  （第２版，ｐｐ．２３７−２４５）．Ｎｅｗ  Ｙｏｒｋ：Ｈｕｍａｎａ  Ｐｒｅｓｓ
【図１】
0006694819.tif 000002
【図２】
0006694819.tif 000003
【図３】
0006694819.tif 000004